(57)【要約】【課題】タービンのノズルベーンの故障と排気バイパス弁の故障とを区別して故障判定を行う。【解決手段】過給機のタービンにノズルベーンが設けられており、且つ、該タービンのタービンホイールをバイパスして排気が流れるように形成されたバイパス通路に排気バイパス弁が設けられている。タービンから排出された排気とバイパス通路を通過した排気とが合流した後の排気の温度及び過給圧に基づいて、ノズルベーンの故障と排気バイパス弁の故障とを区別して故障判定を行なう。【選択図】図２
2011017325.tif 000002
【特許請求の範囲】
【請求項１】
内燃機関の排気通路に設けられており、ノズルベーンを有する過給機のタービンと、
該タービンのタービンホイールをバイパスして排気が流れるように形成されたバイパス通路と、
該バイパス通路に設けられ該バイパス通路を流れる排気の流量を調整する排気バイパス弁と、を有する内燃機関の排気系の故障判定装置であって、
前記タービンから排出された排気と前記バイパス通路を通過した排気とが合流した後の排気の温度を検出する排気温度検出手段と、
過給圧を検出する過給圧検出手段と、
前記排気温度検出手段によって検出された排気の温度及び前記過給圧検出手段によって検出された過給圧に基づいて、前記ノズルベーンの故障と前記排気バイパス弁の故障とを区別して判定する故障判定手段と、
を備えたことを特徴とする内燃機関の排気系の故障判定装置。
【請求項２】
前記ノズルベーンの開度の指令値及び前記排気バイパス弁の開度の指令値に基づいて、前記タービンから排出された排気と前記バイパス通路を通過した排気とが合流した後の排気の温度の基準値である基準排気温度を算出する基準排気温度算出手段と、
前記ノズルベーンの開度の指令値及び前記排気バイパス弁の開度の指令値に基づいて、過給圧の基準値である基準過給圧を算出する基準過給圧算出手段と、を更に備え、
前記故障判定手段が、前記排気温度検出手段によって検出された排気の温度と前記基準排気温度とを比較すると共に、前記過給圧検出手段によって検出された過給圧と前記基準過給圧とを比較することで、前記ノズルベーンの故障と前記排気バイパス弁の故障とを区別して判定することを特徴とする請求項１に記載の内燃機関の排気系の故障判定装置。
【請求項３】
前記故障判定手段が、前記排気温度検出手段によって検出された排気の温度が前記基準排気温度より高く、且つ、前記過給圧検出手段によって検出された過給圧が前記基準過給圧より高いときは、前記ノズルベーンの閉弁側故障が生じていると判定することを特徴とする請求項２に記載の内燃機関の排気系の故障判定装置。
【請求項４】
前記故障判定手段が、前記排気温度検出手段によって検出された排気の温度が前記基準排気温度より高く、且つ、前記過給圧検出手段によって検出された過給圧が前記基準過給圧より低いときは、前記排気バイパス弁の開弁側故障が生じていると判定することを特徴とする請求項２に記載の内燃機関の排気系の故障判定装置。
【請求項５】
前記故障判定手段が、前記排気温度検出手段によって検出された排気の温度が前記基準排気温度より低く、且つ、前記過給圧検出手段によって検出された過給圧が前記基準過給圧より高いときは、前記排気バイパス弁の閉弁側故障が生じていると判定することを特徴とする請求項２に記載の内燃機関の排気系の故障判定装置。
【請求項６】
前記故障判定手段が、前記排気温度検出手段によって検出された排気の温度が前記基準排気温度より低く、且つ、前記過給圧検出手段によって検出された過給圧が前記基準過給圧より低いときは、前記ノズルベーンの開弁側故障が生じていると判定することを特徴とする請求項２に記載の内燃機関の排気系の故障判定装置。
【発明の詳細な説明】
【技術分野】
【０００１】
本発明は、タービンのノズルベーン及び排気バイパス弁の故障を判定する内燃機関の排気系の故障判定装置に関する。
【背景技術】
【０００２】
特許文献１には、過給機付き内燃機関におけるウェストゲートバルブの故障検出のための技術が開示されている。特許文献１では、過給期間における過給圧の上昇度合いを表す過給圧上昇指標値を取得する。そして、過給圧上昇指標値が、基準値以上であればウェストゲートバルブは正常であると判別され、基準値未満であればウェストゲートバルブに閉じ不良が発生していると判別される。
【先行技術文献】
【特許文献】
【０００３】
【特許文献１】特開２００８−０９５５８７号公報
【特許文献２】特開２００９−０５２４０８号公報
【特許文献３】特開平４−１６４１２５号公報
【特許文献４】特開２０００−３２９８４９号公報
【発明の概要】
【発明が解決しようとする課題】
【０００４】
内燃機関の排気通路に過給機のタービンが設けられている場合、該タービンのタービンホイールをバイパスして排気が流れるように形成されたバイパス通路が設けられる場合がある。このとき、バイパス通路には、該バイパス通路を流れる排気の流量を調整する排気バイパス弁が設けられる。ウェストゲートバルブは、このような排気バイパス弁の一例である。また、過給機のタービンには、過給圧制御するために、タービンホイールに吹き付けられる排気の流速を可変とするノズルベーンが設けられる場合がある。
【０００５】
上記のようなノズルベーン及び排気バイパス弁が排気系に設けられている場合、これらが故障し、その開度が正常時とは異なったものとなると、排気エミッションやドライバビリティの悪化を招く虞がある。このような不具合を解消するためには、ノズルベーン又は排気バイパス弁の故障が発生した場合、それを正確に把握することが重要である。
【０００６】
ここで、排気の背圧に基づいてこれらの故障判定を行なうことが考えられる。しかしながら、ノズルベーン又は排気バイパス弁のいずれが故障しても排気の背圧は変化する。そのため、排気の背圧に基づく故障判定では、ノズルベーンの故障と排気バイパス弁の故障との区別が困難である。
【０００７】
本発明は、上記問題に鑑みてなされたものであって、ノズルベーンの故障と排気バイパス弁の故障とを区別して故障判定を行うことが可能な技術を提供することを目的とする。
【課題を解決するための手段】
【０００８】
本発明は、タービンから排出された排気の温度とバイパス通路を通過した排気の温度とが異なること、及び、ノズルベーンの開度又は排気バイパス弁の開度が変化すると過給圧が変化することを利用して、ノズルベーンの故障と排気バイパス弁の故障とを区別して故障判定を行なうものである。
【０００９】
より詳しくは、本発明に係る内燃機関の排気系の故障判定装置は、
内燃機関の排気通路に設けられており、ノズルベーンを有する過給機のタービンと、
該タービンのタービンホイールをバイパスして排気が流れるように形成されたバイパス通路と、
該バイパス通路に設けられ該バイパス通路を流れる排気の流量を調整する排気バイパス弁と、を有する内燃機関の排気系の故障判定装置であって、
前記タービンから排出された排気と前記バイパス通路を通過した排気とが合流した後の排気の温度を検出する排気温度検出手段と、
過給圧を検出する過給圧検出手段と、
前記排気温度検出手段によって検出された排気の温度及び前記過給圧検出手段によって検出された過給圧に基づいて、前記ノズルベーンの故障と前記排気バイパス弁の故障とを区別して判定する故障判定手段と、
を備えたことを特徴とする。
【００１０】
タービンから排出された排気（以下、タービン側排気と称する）は、タービンホイールの回転に寄与することで、その温度が低下している。そのため、タービン側排気の温度はバイパス通路を通過した排気（以下、バイパス側排気と称する）の温度に比べて低い。両排気間にこのような温度差があることから、ノズルベーン又は排気バイパス弁が故障することで両排気の流量の割合が正常時とは異なるものとなると、タービン側排気とバイパス側排気とが合流した後の排気（以下、合流排気と称する）の温度も正常時とは異なったものとなる。
【００１１】
しかしながら、ノズルベーンの開弁側故障（開度が正常時よりも大きい状態となる故障）が生じたときと、排気バイパス弁の閉弁側故障（開度が正常時よりも小さい状態となる故障）が生じたときとでは、いずれの場合もタービン側排気の流量の割合が増加しバイパス側排気の流量の割合が減少するため、合流排気の温度挙動も同一方向（温度低下）となる。また、ノズルベーンの閉弁側故障が生じたときと、排気バイパス弁の開弁側故障が生じたときとでも、いずれの場合もタービン側排気の流量の割合が減少しバイパス側排気の流量の割合が増加するため、合流排気の温度挙動は同一方向（温度上昇）となる。そのため、合流排気の温度挙動のみでは、ノズルベーンの故障と排気バイパス弁の故障とを区別して判定することは困難である。
【００１２】
一方、ノズルベーン又は排気バイパス弁が故障すると、タービンホイールに吹き付けられる排気の流速が正常時とは異なったものとなるため、過給圧も正常時とは異なったものとなる。
【００１３】
しかしながら、ノズルベーンの開弁側故障が生じたときと、排気バイパス弁の開弁側故障が生じたときとでは、いずれの場合もタービンホイールに吹き付けられる排気の流速が低下するため、過給圧の挙動も同一方向（過給圧低下）となる。また、ノズルベーンの閉弁側故障が生じたときと、排気バイパス弁の閉弁側故障が生じたときとでも、いずれの場合もタービンホイールに吹き付けられる排気の流速が上昇するため、過給圧の挙動は同一方向（過給圧上昇）となる。そのため、過給圧の挙動のみでも、ノズルベーンの故障と排気バイパス弁の故障とを区別して判定することは困難である。
【００１４】
そこで、本発明では、合流排気の温度及び過給圧の両方に基づいて故障判定を行なう。これにより、ノズルベーンの故障と排気バイパス弁の故障とを区別して判定することが可能となる。
【００１５】
本発明においては、ノズルベーンの開度の指令値及び排気バイパス弁の開度の指令値に基づいて、合流排気の温度の基準値である基準排気温度を算出する基準排気温度算出手段と、ノズルベーンの開度の指令値及び排気バイパス弁の開度の指令値に基づいて、過給圧
の基準値である基準過給圧を算出する基準過給圧算出手段と、を更に備えてもよい。
【００１６】
ここで、基準排気温度とは、ノズルベーンの開度及び排気バイパス弁の開度がこれらの指令値の通りとなったとき、即ち正常時の合流排気の温度のことある。また、基準過給圧とは、ノズルベーンの開度及び排気バイパス弁の開度がこれらの指令値の通りとなったとき、即ち正常時の過給圧のことである。ノズルベーンの開度及び排気バイパス弁の開度と基準排気温度との関係、及び、ノズルベーンの開度及び排気バイパス弁の開度と基準過給圧との関係は実験等に基づいて予め求めることができる。
【００１７】
そして、上記の場合、故障判定手段は、排気温度検出手段によって検出された合流排気の温度と基準排気温度とを比較すると共に、過給圧検出手段によって検出された過給圧と基準過給圧とを比較することで、ノズルベーンの故障と排気バイパス弁の故障とを区別して判定してもよい。
【００１８】
具体的には、排気温度検出手段によって検出された合流排気の温度が基準排気温度より高く、且つ、過給圧検出手段によって検出された過給圧が基準過給圧より高いときは、ノズルベーンの閉弁側故障が生じていると判定する。また、排気温度検出手段によって検出された合流排気の温度が基準排気温度より高く、且つ、過給圧検出手段によって検出された過給圧が基準過給圧より低いときは、排気バイパス弁の開弁側故障が生じていると判定する。
【００１９】
また、排気温度検出手段によって検出された合流排気の温度が基準排気温度より低く、且つ、過給圧検出手段によって検出された過給圧が基準過給圧より高いときは、排気バイパス弁の閉弁側故障が生じていると判定する。また、排気温度検出手段によって検出された合流排気の温度が基準排気温度より低く、且つ、過給圧検出手段によって検出された過給圧が基準過給圧より低いときは、ノズルベーンの開弁側故障が生じていると判定する。
【発明の効果】
【００２０】
本発明によれば、ノズルベーンの故障と排気バイパス弁の故障とを区別して故障判定を行うことができる。
【図面の簡単な説明】
【００２１】
【図１】実施例に係る内燃機関およびその吸排気系の概略構成を示す図である。
【図２】実施例に係るノズルベーン及びＷＧＶの故障判定のフローを示すフローチャートである。
【発明を実施するための形態】
【００２２】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００２３】
＜実施例＞
（内燃機関およびその吸排気系の概略構成）
図１は、本実施例に係る内燃機関およびその吸排気系の概略構成を示す図である。内燃機関１は４つの気筒２を有する車両駆動用のディーゼルエンジンである。各気筒２には該気筒２内に燃料を直接噴射する燃料噴射弁３が設けられている。
【００２４】
内燃機関１には、インテークマニホールド５およびエキゾーストマニホールド７が接続されている。インテークマニホールド５には吸気通路４の一端が接続されている。エキゾーストマニホールド７には排気通路６の一端が接続されている。
【００２５】
吸気通路４にはターボチャージャ８のコンプレッサ８ａが設置されている。排気通路６にはターボチャージャ８のタービン８ｂが設置されている。吸気通路４におけるコンプレッサ８ａよりも上流側にはエアフローメータ１１が設けられている。吸気通路４におけるコンプレッサ８ａよりも下流側にはスロットル弁１２が設けられている。
【００２６】
タービン８ｂにはノズルベーン９が設けられている。ノズルベーン９の開度が変更されることで、タービンホイールに吹きつけられる排気の流速が変化し、それによって、ターボ出力が変化する。つまり、本実施例に係るターボチャージャ８は、ノズルベーン９の開度を変更することで過給圧を制御することが可能な可変容量型ターボチャージャである。
【００２７】
また、排気通路６には、タービン８ｂをバイパスして排気が流れるように形成されたバイパス通路１７が設けられている。該バイパス通路１７の両端部は、排気通路６におけるタービン８ｂの直上流及び直下流にそれぞれ接続されている。そして、バイパス通路１７にはウェストゲートバルブ（以下、ＷＧＶと称する）１８が設けられている。ＷＧＶ１８は、バイパス通路１７を流れる排気の流量を調整することでタービン８ｂに流入する排気の流量を制御する。尚、バイパス通路１７は、タービン８ｂのタービンホイールをバイパスして排気が流れるように形成されていればよく、その上流側の端部はタービン８ｂに接続されていてもよい。
【００２８】
排気通路６におけるタービン８ｂより下流側には排気浄化触媒１０が設けられている。また、エキゾーストマニホールド７には排気の圧力を検出する圧力センサ２３が設けられている。本実施例では、該圧力センサ２３によって検出される排気の圧力を過給圧として用いる。
【００２９】
排気通路６におけるバイパス通路１７の下流側端部の接続部分には排気の温度を検出する温度センサ２４が設けられている。タービン８ｂから排出されたタービン側排気とバイパス通路１７を通過したバイパス側排気とが合流した後の合流排気の温度が該温度センサ２４によって検出される。
【００３０】
本実施例に係る内燃機関１は排気の一部をＥＧＲガスとして吸気系に導入するＥＧＲ装置１４を備えている。ＥＧＲ装置１４は、ＥＧＲ通路１５およびＥＧＲ弁１６を有している。ＥＧＲ通路１５は、その一端がエキゾーストマニホールド７に接続されその他端がインテークマニホールド５に接続されている。該ＥＧＲ通路１５を介してＥＧＲガスがエキゾーストマニホールド７からインテークマニホールド５に導入される。ＥＧＲ弁１６はＥＧＲ通路１５に設けられており、インテークマニホールド５に導入されるＥＧＲガス量が該ＥＧＲ弁１６によって制御される。
【００３１】
内燃機関１には電子制御ユニット（ＥＣＵ）２０が併設されている。このＥＣＵ２０は内燃機関１の運転状態等を制御するユニットである。ＥＣＵ２０には、エアフローメータ１１、圧力センサ２３、温度センサ２４、クランクポジションセンサ２１及びアクセル開度センサ２２が電気的に接続されている。各センサの出力信号がＥＣＵ２０に入力される。ＥＣＵ２０は、クランクポジションセンサ２１の検出値に基づいて内燃機関１の機関回転数を算出し、アクセル開度センサ２２の検出値に基づいて内燃機関１の機関負荷を算出する。
【００３２】
また、ＥＣＵ２０には、各燃料噴射弁３、スロットル弁１２、ノズルベーン９、ＷＧＶ１８及びＥＧＲ弁１６が電気的に接続されている。そして、ＥＣＵ２０によってこれらが制御される。
【００３３】
本実施例においては、バイパス通路１７が本発明に係るバイパス通路に相当し、ＷＧＶ１８が本発明に係る排気バイパス弁に相当する。尚、本発明に係るバイパス弁はＷＧＶに限定されるものではない。例えば、エキゾーストマニホールドに一端が接続され、タービンより下流側の排気通路に他端が接続されるようなバイパス通路を設け、該バイパス通路に排気バイパス弁を設置してもよい。
【００３４】
また、本実施例においては、圧力センサ２３が本発明に係る過給圧検出手段に相当する。尚、本発明に係る過給圧検出手段はこのような排気の圧力を検出するセンサに限られるものではない。例えば、インテークマニホールドの吸気の圧力を検出する圧力センサを設けた場合は、該圧力センサを本発明に係る過給圧検出手段としてもよい。また、本実施例においては、温度センサ２４が本発明に係る排気温度検出手段に相当する。
【００３５】
（故障判定）
本実施例においては、ＥＣＵ２０が、内燃機関１の運転状態に基づいてノズルベーン９の開度の指令値及びＷＧＶ１８の開度の指令値を決定する。内燃機関１の運転状態とノズルベーン９の開度及びＷＧＶ１８の開度との関係は実験等によって予め定められており、これらの関係がＥＣＵ２０にマップとして記憶されている。ＥＣＵ２０はこのマップからこれらの開度の指令値を決定する。
そして、それぞれの開度がその指令値となるように制御される。
【００３６】
しかしながら、ノズルベーン９又はＷＧＶ１８に故障が生じると、これらの実際の開度が指令値とは異なったものとなる。そのため、これらに故障が生じると、過給圧や排気の背圧を所望の値に制御することが困難となる。また、排気浄化触媒１０に流入する排気の流量や温度も所望の値に制御することが困難となり、該排気浄化触媒１０の劣化の促進あるいは暖気の遅延を招く場合がある。これらの不具合の結果として、排気エミッションやドライバビリティの悪化を招く虞がある。このような不具合を解消するためには、ノズルベーン９又はＷＧＶ１８の故障が発生した場合、それを正確に把握することが重要である。
【００３７】
ここで、ノズルベーン９又はＷＧＶ１８の故障が発生した場合の合流排気の温度及び過給圧の挙動について説明する。タービン側排気は、タービン８ｂのタービンホイールの回転に寄与することで、その温度が低下している。そのため、タービン側排気の温度はバイパス側排気の温度に比べて低い。両排気間にこのような温度差があることから、ノズルベーン９又はＷＧＶ１８が故障することで両排気の流量の割合が正常時とは異なるものとなると合流排気の温度が正常時とは異なったものとなる。
【００３８】
つまり、ノズルベーン９の開弁側故障が生じた場合、又は、ＷＧＶ１８の閉弁側故障が生じた場合は、タービン側排気の流量の割合が増加しバイパス側排気の流量の割合が減少するため、合流排気の温度は正常時よりも低くなる。また、ノズルベーン９の閉弁側故障が生じた場合、又は、ＷＧＶ１８の開弁側故障が生じた場合は、タービン側排気の流量の割合が減少しバイパス側排気の流量の割合が増加するため、合流排気の温度は正常時よりも高くなる。
【００３９】
さらに、ノズルベーン９又はＷＧＶ１８が故障すると、タービンホイールに吹き付けられる排気の流速が正常時とは異なったものとなるため、過給圧も正常時とは異なったものとなる。
【００４０】
つまり、ノズルベーン９の開弁側故障が生じた場合、又は、ＷＧＶ１８の開弁側故障が生じた場合は、タービンホイールに吹き付けられる排気の流速が低下するため、過給圧は正常時よりも低くなる。また、ノズルベーン９の閉弁側故障が生じた場合、又は、ＷＧＶ
１８の閉弁側故障が生じた場合は、タービンホイールに吹き付けられる排気の流速が上昇するため、過給圧は正常時よりも高くなる。
【００４１】
そこで、本実施例では、このような故障発生時の合流排気の温度及び過給圧の挙動を利用して、ノズルベーン９の故障とＷＧＶ１８の故障とを区別して故障判定を行なう。以下、本実施例に係るノズルベーン及びＷＧＶの故障判定のフローについて、図２に示すフローチャートに基づいて説明する。本フローは、ＥＣＵ２０に予め記憶されており、ＥＣＵ２０によって所定の間隔で繰り返し実行される。尚、本実施例では、本フローを実行するＥＣＵ２０が、本発明に係る故障判定手段に相当する。
【００４２】
本フローでは、先ずステップＳ１０１において、ノズルベーン９の開度の指令値及びＷＧＶ１８の開度の指令値に基づいて合流排気の温度の基準値である基準排気温度Ｔｇｂａｓｅが算出される。ここで、基準排気温度Ｔｇｂａｓｅとは、ノズルベーン９の開度及びＷＧＶ１８の開度がこれらの指令値の通りとなったとき、即ち正常時の合流排気の温度のことである。ノズルベーン９の開度及びＷＧＶ１８の開度と基準排気温度Ｔｇｂａｓｅとの関係は実験等に基づいて予め求めることが出来る。本実施例では、これらの関係がマップとしてＥＣＵ２０に記憶されている。尚、ステップＳ１０１の処理を実行するＥＣＵ２０が、本発明に係る基準排気温度算出手段に相当する。
【００４３】
次に、ステップＳ１０２において、ノズルベーン９の開度の指令値及びＷＧＶ１８の開度の指令値に基づいて過給圧の基準値である基準過給圧Ｐｃｂａｓｅが算出される。ここで、基準過給圧Ｐｃｂａｓｅとは、ノズルベーン９の開度及びＷＧＶ１８の開度がこれらの指令値の通りとなったとき、即ち正常時の過給圧のことである。ノズルベーン９の開度及びＷＧＶ１８の開度と基準過給圧Ｐｃｂａｓｅとの関係は実験等に基づいて予め求めることが出来る。本実施例ではこれらの関係がマップとしてＥＣＵ２０に記憶されている。尚、ステップＳ１０２の処理を実行するＥＣＵ２０が、本発明に係る基準過給圧算出手段に相当する。
【００４４】
次に、ステップＳ１０３において、温度センサ２４によって検出された合流排気の温度Ｔｇが基準排気温度Ｔｇｂａｓｅと同一であり、且つ、圧力センサ２３によって検出された過給圧Ｐｃが基準過給圧Ｐｃｂａｓｅと同一であるか否かを判別する。このステップＳ１０３において肯定判定された場合、ノズルベーン９の開度及びＷＧＶ１８の開度は共にそれぞれの指令値の通りとなっていると判断できる。そのため、次にステップＳ１０７の処理が実行され、ノズルベーン９及びＷＧＶ１８は正常と判定される。
【００４５】
尚、ステップＳ１０３においては、温度センサ２４によって検出された合流排気の温度Ｔｇと基準排気温度Ｔｇｂａｓｅとが完全に同一ではない場合、また、圧力センサ２３によって検出された過給圧Ｐｃと基準過給圧Ｐｃｂａｓｅとが完全に同一ではない場合であっても、これらの値とそれぞれの基準値との差がノズルベーン９及びＷＧＶ１８が正常であると判断できる許容範囲内であれば肯定判定される。
【００４６】
一方、ステップＳ１０３において否定判定された場合、次にステップＳ１０４の処理が実行される。温度センサ２４によって検出された合流排気の温度Ｔｇが基準排気温度Ｔｇｂａｓｅよりも高いか否かが判別される。このステップＳ１０４において肯定判定された場合、つまり、合流排気の温度Ｔｇが基準排気温度Ｔｇｂａｓｅよりも高い場合、上述した故障発生時の合流排気の温度の挙動から、ノズルベーン９の閉弁側故障又はＷＧＶ１８の開弁側故障が生じていると判断できる。この場合、次にステップＳ１０５の処理が実行される。
【００４７】
ステップＳ１０５においては、圧力センサ２３によって検出された過給圧Ｐｃが基準過
給圧Ｐｃｂａｓｅよりも高いか否かが判別される。このステップＳ１０５において肯定判定された場合、つまり、過給圧Ｐｃが基準過給圧Ｐｃｂａｓｅよりも高い場合、上述した故障発生時の過給圧の挙動から、ノズルベーン９の閉弁側故障が生じていると判断できる。そのため、次にステップＳ１０８の処理が実行され、ノズルベーン９の閉弁側故障が生じていると判定される。
【００４８】
また、ステップＳ１０５において否定判定された場合、つまり、過給圧Ｐｃが基準過給圧Ｐｃｂａｓｅよりも低い場合、ＷＧＶ１８の開弁側故障が生じていると判断できる。そのため、次にステップＳ１０８の処理が実行され、ＷＧＶ１８の開弁側故障が生じていると判定される。
【００４９】
一方、ステップＳ１０４において否定判定された場合、つまり、合流排気の温度Ｔｇが基準排気温度Ｔｇｂａｓｅよりも低い場合、ノズルベーン９の開弁側故障又はＷＧＶ１８の閉弁側故障が生じていると判断できる。この場合、次にステップＳ１０６の処理が実行される。
【００５０】
ステップＳ１０６においては、圧力センサ２３によって検出された過給圧Ｐｃが基準過給圧Ｐｃｂａｓｅよりも低いか否かが判別される。このステップＳ１０６において肯定判定された場合、つまり、過給圧Ｐｃが基準過給圧Ｐｃｂａｓｅよりも低い場合、ノズルベーン９の開弁側故障が生じていると判断できる。そのため、次にステップＳ１１０の処理が実行され、ノズルベーン９の開弁側故障が生じていると判定される。
【００５１】
また、ステップＳ１０６において否定判定された場合、つまり、過給圧Ｐｃが基準過給圧Ｐｃｂａｓｅよりも高い場合、ＷＧＶ１８の閉弁側故障が生じていると判断できる。そのため、次にステップＳ１１１の処理が実行され、ＷＧＶ１８の閉弁側故障が生じていると判定される。
【００５２】
以上説明したフローによれば、ノズルベーン９の故障とＷＧＶ１８の故障とを区別して故障判定を行うことができる。
【符号の説明】
【００５３】
１・・・内燃機関
２・・・気筒
３・・・燃料噴射弁
４・・・吸気通路
５・・・インテークマニホールド
６・・・排気通路
７・・・エキゾーストマニホールド
８・・・ターボチャージャ
８ａ・・コンプレッサ
８ｂ・・タービン
９・・・ノズルベーン
１０・・排気浄化触媒
１１・・エアフローメータ
１２・・スロットル弁
１４・・ＥＧＲ装置
１５・・ＥＧＲ通路
１６・・ＥＧＲ弁
１７・・バイパス通路
１８・・ウェストゲートバルブ（ＷＧＶ）
２０・・ＥＣＵ
２１・・クランクポジションセンサ
２２・・アクセル開度センサ
２３・・圧力センサ
２４・・温度センサ
【図１】
2011017325.tif 000003
【図２】
2011017325.tif 000004